(57)【要約】      （修正有）【課題】引き戸と開き戸のどちらにも使用することができ、安全性が高く、面倒な操作も不要な指詰め防止構造を提供する。【解決手段】引き戸の戸先部分に支持部材に支持された規制ローラ２４を備える。戸枠の戸当たり部分に受け面を備える。引き戸が開かれると、規制ローラ２４が受け面の方向に進行して突出した状態になる。規制ローラ２４が突出した状態で引き戸が、所定の値以上の速度で速く閉じられたときは、規制ローラ２４を突出状態に保持しようとする保持力が、規制ローラ２４を退避させようとする方向の力より大きくなり、規制ローラ２４により指詰め防止の隙間が確保される。引き戸がゆっくりと閉じられたときは、保持力が小さくなり、指詰め防止機能が自動的に解除される。【選択図】図３
2017008649.tif 000002
【特許請求の範囲】
【請求項１】
出入口の壁側に設けられた戸枠に引き戸が取り付けられた引き戸装置に設置され、前記引き戸が閉じられたとき、前記引き戸の戸先部分の先端とこれに対向する前記戸枠の戸当たり部分の先端との間に指を挟むのを防止する指詰め防止構造において、
前記戸先部分及び前記戸当たり部分のうちの一方を第一の部分、他方を第二の部分とし、前記第一の部分に、所定の大きさの規制部材と、一端部に前記規制部材が取り付けられた支持部材とが設けられ、前記第二の部分に、前記規制部材と対向する受け面が設けられ、前記支持部材は、他端部の回転軸を介して前記第一の部分に取り付けられ、前記規制部材を前記受け面に対して進退自在に支持し、
前記引き戸が開かれると、前記規制部材が前記受け面の方向に進行して突出した状態になり、
前記規制部材が前記受け面の方向に突出した状態で前記引き戸が閉じられると、前記受け面が前記規制部材に当接し、前記受け面から前記規制部材に作用する押圧力により、前記規制部材を退避させようとする方向の力と、前記規制部材を突出した状態に保持しようとする保持力が生じ、
前記押圧力が所定の値よりも大きくなる場合は、前記保持力が前記退避させようとする方向の力より大きくなり、前記規制部材が前記受け面の方向に突出した状態に保持され、前記戸先部分の先端と前記戸当たり部分の先端との間に指詰め防止の隙間が確保され、前記押圧力が前記所定の値よりも小さい場合は、前記保持力が前記退避させようとする方向の力より小さくなり、前記支持部材が回動して前記規制部材が前記受け面と反対の方向に退避し、前記戸先部分の先端と前記戸当たり部分の先端とが近接可能になることを特徴とする指詰め防止構造。
【請求項２】
出入口の壁側に設けられた扉枠に開き戸が取り付けられた開き戸装置に設置され、前記開き戸が閉じられたとき、前記開き戸の戸先部分の側面とこれに対応する前記扉枠の戸先側枠部分の側面との間に指を挟むのを防止する指詰め防止構造において、
前記戸先部分の側面に、この戸先部分の先端から突出する受け部材が設けられ、前記受け部材及び前記戸先側枠部分のうちの一方を第一の部分、他方を第二の部分とし、前記第一の部分に、所定の大きさの規制部材と、一端部に前記規制部材が取り付けられた支持部材とが設けられ、前記第二の部分に、前記規制部材と対向する受け面が設けられ、前記支持部材は、他端部の回転軸を介して前記第一の部分に取り付けられ、前記規制部材を前記受け面の方向に進退自在に支持し、
前記開き戸が開かれると、前記規制部材が前記受け面の方向に進行して突出した状態になり、
前記規制部材が前記受け面の方向に突出した状態で前記開き戸が閉じられると、前記受け面が前記規制部材に当接し、前記受け面から前記規制部材に作用する押圧力により、前記規制部材を退避させようとする方向の力と、前記規制部材を突出した状態に保持しようとする保持力が生じ、
前記押圧力が所定の値よりも大きくなる場合は、前記保持力が前記退避させようとする方向の力より大きくなり、前記規制部材が前記受け面の方向に突出した状態に保持され、前記戸先部分の側面と前記戸先側枠部分の側面との間に指詰め防止の隙間が確保され、前記押圧力が前記所定の値よりも小さい場合は、前記保持力が前記退避させようとする方向の力より小さくなり、前記支持部材が回動して前記規制部材が前記受け面と反対の方向に退避し、前記戸先部分の側面と前記戸先側枠部分の側面とが近接可能になることを特徴とする指詰め防止構造。
【請求項３】
前記第一の部分に、前記受け面と対向する保持面が設けられ、前記保持面は、前記規制部材が前記受け面から前記押圧力を受けると、前記規制部材の反対側の部分に当接し、この当接部分に発生する摩擦力が前記保持力となる請求項１又は２記載の指詰め防止構造。
【請求項４】
前記支持部材の前記回転軸は、前記受け面と平行な向きに配され、回転軸付勢バネを介して前記第一の部分に取り付けられ、
前記回転軸付勢バネは、前記規制部材を前記保持面から離間させる方向に、前記回転軸を付勢する請求項３記載の指詰め防止構造。
【請求項５】
前記規制部材は、円柱状の中心軸が前記支持部材の先端部に回動可能に軸着された規制ローラで成り、前記規制ローラの中心軸は前記支持部材の回転軸と平行な向きに配されており、
前記保持面は、前記規制ローラが前記受け面から前記押圧力を受けて前記規制ローラの反対側の部分に当接することにより、この当接部分に摩擦力による前記保持力を発生させる請求項４記載の指詰め防止構造。
【請求項６】
前記第一の部分にトリガ部材が設けられ、前記トリガ部材は、前記規制部材が前記受け面から前記押圧力を受けると、前記規制部材を前記保持面から離間させる方向に押圧するように配置されている請求項３記載の指詰め防止構造。
【請求項７】
前記トリガ部材にはその先端部に、円柱状の中心軸が回動可能に軸着されたトリガローラが設けられ、前記トリガローラの中心軸は前記支持部材の回転軸と平行な向きに配されており、前記規制部材が前記受け面から前記押圧力を受けると、前記トリガローラが前記規制部材の反対側の下側部分に当接する請求項６記載の指詰め防止構造。
【発明の詳細な説明】
【技術分野】
【０００１】
本発明は、引き戸や開き戸を閉じたとき、手指を挟んでケガをするのを防止するための指詰め防止構造に関する。
【背景技術】
【０００２】
従来、この種の指詰め防止構造として、例えば特許文献１に開示されているように、引き戸（引き戸障子）が閉じられたとき、戸先と戸枠（固定窓枠）との間に指詰め防止の隙間を形成するための規制部材が設けられた引戸用指詰め防止装置があった。規制部材は、引き戸の内部にその一端が上下方向に回動可能に支持され、収納姿勢と突出姿勢を切り替えることができる。規制部材の姿勢の切り替えは、使用者が操作部を操作することによって行われる。例えば、指詰めを防止したいときは、使用者が操作部を操作することによって専用の駆動機構を動作させ、規制部材を突出姿勢に切り替える。指詰め防止機能を解除したいときは、使用者が操作部を操作して規制部材を収納姿勢に切り替える。
【０００３】
また、特許文献２に開示されているように、引き戸の戸先から戸枠に向かって進退可能な進退作動体が設けられた指挟み防止機構があった。進退作動体は、引き戸が閉じられたときに、戸先と戸枠との間に隙間を形成するための部材であり、上記の規制部材と同様に、収納姿勢と突出姿勢に切り替わることができる。この指挟み防止機構は、戸枠に永久磁石が取り付けられ、引き戸が開かれると、進退作動手段が永久磁石に引かれて突出姿勢になり、自動的に指詰めを防止する状態に切り替わり、進出及び後退ストッパにより進退作動体が保持される。指詰め防止機能を解除したいときは、使用者が解除操作部を操作して進退作動体を収納姿勢に切り替える。また、引き戸を開くためのハンドルが進退作動体に連結され、引き戸を開く方向にハンドルが操作されると、進退作動手段が突出姿勢に押し出され、引き戸に開方向のアシスト力が付与される構成が開示されている。
【先行技術文献】
【特許文献】
【０００４】
【特許文献１】特開２００７−１３２１２０号公報
【特許文献２】特開２０１２−２２５１０５号公報
【発明の概要】
【発明が解決しようとする課題】
【０００５】
しかし、特許文献１の指詰め防止の構造の場合、指詰め防止機能は、引き戸が開かれた後、使用者が操作部を操作しなければ設定されないので、幼児や小さい子供の安全を確保しにくいものである。
【０００６】
また、特許文献１，２の指詰め防止の構造は、引き戸を最後まで閉鎖したいとき、指詰め防止機能を解除するため、いちいち操作部を操作しなければならず、使用者にとって非常に面倒であった。
【０００７】
さらに、特許文献１，２の構造は、どちらも引き戸装置を対象にした構造であり、開き戸を開閉する際に指詰めを防止することは考慮されていない。
【０００８】
本発明は、上記背景技術に鑑みて成されたものであり、引き戸と開き戸のどちらにも使用することができ、安全性の高く、面倒な操作も不要な指詰め防止構造を提供することを目的とする。
【課題を解決するための手段】
【０００９】
本発明は、出入口の壁側に設けられた戸枠に引き戸が取り付けられた引き戸装置に設置され、前記引き戸が閉じられたとき、前記引き戸の戸先部分の先端とこれに対向する前記戸枠の戸当たり部分の先端との間に指を挟むのを防止する指詰め防止構造であって、前記戸先部分及び前記戸当たり部分のうちの一方を第一の部分、他方を第二の部分とし、前記第一の部分に、所定の大きさの規制部材と、アーム状等の一端部に前記規制部材が取り付けられた支持部材とが設けられ、前記第二の部分に、前記規制部材と対向する受け面が設けられ、前記支持部材は、他端部の回転軸を介して前記第一の部分に取り付けられ、前記規制部材を前記受け面に対して進退自在に支持し、前記引き戸が開かれると、前記規制部材が前記受け面の方向に進行して突出した状態になり、前記規制部材が前記受け面の方向に突出した状態で前記引き戸が閉じられると、前記受け面が前記規制部材に当接し、前記受け面から前記規制部材に作用する押圧力により、前記規制部材を退避させようとする方向の力と、前記規制部材を突出した状態に保持しようとする保持力が生じ、前記押圧力が所定の値よりも大きくなる場合は、前記保持力が前記退避させようとする方向の力より大きくなり、前記規制部材が前記受け面の方向に突出した状態に保持され、前記戸先部分の先端と前記戸当たり部分の先端との間に指詰め防止の隙間が確保され、前記押圧力が前記所定の値よりも小さい場合は、前記保持力が前記退避させようとする方向の力より小さくなり、前記支持部材が回動して前記規制部材が前記受け面と反対の方向に退避し、前記戸先部分の先端と前記戸当たり部分の先端とが近接可能になる指詰め防止構造である。
【００１０】
また本発明は、出入口の壁側に設けられた扉枠に開き戸が取り付けられた開き戸装置に設置され、前記開き戸が閉じられたとき、前記開き戸の戸先部分の側面とこれに対応する前記扉枠の戸先側枠部分の側面との間に指を挟むのを防止する指詰め防止構造であって、前記戸先部分の側面に、この戸先部分の先端から突出する受け部材が設けられ、前記受け部材及び前記戸先側枠部分のうちの一方を第一の部分、他方を第二の部分とし、前記第一の部分に、所定の大きさの規制部材と、アーム状等の一端部に前記規制部材が取り付けられた支持部材とが設けられ、前記第二の部分に、前記規制部材と対向する受け面が設けられ、前記支持部材は、他端部の回転軸を介して前記第一の部分に取り付けられ、前記規制部材を前記受け面の方向に進退自在に支持し、前記開き戸が開かれると、前記規制部材が前記受け面の方向に進行して突出した状態になり、前記規制部材が前記受け面の方向に突出した状態で前記開き戸が閉じられると、前記受け面が前記規制部材に当接し、前記受け面から前記規制部材に作用する押圧力により、前記規制部材を退避させようとする方向の力と、前記規制部材を突出した状態に保持しようとする保持力が生じ、前記押圧力が所定の値よりも大きくなる場合は、前記保持力が前記退避させようとする方向の力より大きくなり、前記規制部材が前記受け面の方向に突出した状態に保持され、前記戸先部分の側面と前記戸先側枠部分の側面との間に指詰め防止の隙間が確保され、前記押圧力が前記所定の値よりも小さい場合は、前記保持力が前記退避させようとする方向の力より小さくなり、前記支持部材が回動して前記規制部材が前記受け面と反対の方向に退避し、前記戸先部分の側面と前記戸先側枠部分の側面とが近接可能になる指詰め防止構造である。
【００１１】
前記第一の部分に、前記受け面と対向する保持面が設けられ、前記保持面は、前記規制部材が前記受け面から前記押圧力を受けると、前記規制部材の反対側の部分に当接し、この当接部分に発生する摩擦力が前記保持力となる構成にしてもよい。また、前記支持部材の前記回転軸は、前記受け面と平行な向きに配され、回転軸付勢バネを介して前記第一の部分に取り付けられ、前記回転軸付勢バネは、前記規制部材を前記保持面から離間させる方向に、前記回転軸を付勢する構成にしても良い。
【００１２】
この場合、前記規制部材は、円柱状の中心軸が前記支持部材の先端部に回動可能に軸着された規制ローラで成り、前記規制ローラの中心軸は前記支持部材の回転軸と平行な向きに配されており、前記保持面は、前記規制ローラが前記受け面から前記押圧力を受けて前記規制ローラの反対側の部分に当接することにより、この当接部分に摩擦力による前記保持力を発生させるようにすると良い。
【００１３】
また、前記第一の部分にトリガ部材が設けられ、前記トリガ部材は、前記規制部材が前記受け面から前記押圧力を受けると、前記規制部材を前記保持面から離間させる方向に押圧するように配置されている。
【００１４】
さらに、前記トリガ部材にはその先端部に、円柱状の中心軸が回動可能に軸着されたトリガローラが設けられ、前記トリガローラの中心軸は前記支持部材の回転軸と平行な向きに配されており、前記規制部材が前記受け面から前記押圧力を受けると、前記トリガローラが前記規制部材の反対側の下側部分に当接する構成にすると良い。
【発明の効果】
【００１５】
本発明の指詰め防止構造は、構造がシンプルで汎用性が高く、引き戸だけでなく開き戸にも適用することができる。また、引き戸又は開き戸が開けられると、規制部材が自動的に受け面の方向に突出し、指詰めが防止される設定になるので、幼児や小さい子供にも安全である。また、引き戸又は開き戸が速く勢いよく閉められると、規制部材が突出した状態に保持され指詰め防止機能が解除されず、ゆっくりと閉められると、規制部材が自動的に退避して指詰め防止機能が解除される構造なので、安全であり、かつ引き戸を最後まで閉鎖したいときに面倒な操作を行う必要がない。
【図面の簡単な説明】
【００１６】
【図１】本発明の指詰め防止構造の第一の実施形態である指詰め防止装置が設けられた引戸装置を示す正面図である。
【図２】第一の実施形態の指詰め防止装置の本体及び受け具を示す平面図（ａ）、正面図（ｂ）である。
【図３】図２の本体の内部構造を示す正面図である。
【図４】第一の実施形態の指詰め防止装置の、引き戸が閉鎖されたときの状態を示す正面図である。
【図５】第一の実施形態の指詰め防止装置の、引き戸が開かれたときの状態を示す正面図である。
【図６】第一の実施形態の指詰め防止装置の、引き戸が閉じられたときの動作を説明する正面図（ａ）、（ｂ）である。
【図７】第一の実施形態の指詰め防止装置の、引き戸が閉じられたときの動作を説明する正面図である。
【図８】本発明の指詰め防止構造の第二の実施形態である開閉ハンドル装置が設けられた引戸装置を示す正面図である。
【図９】第二の実施形態の開閉ハンドル装置の本体及び受け具を示す平面図（ａ）、正面図（ｂ）である。
【図１０】図８の本体の内部構造を示す正面図である。
【図１１】第二の実施形態の開閉ハンドル装置を操作して引き戸が開かれたときの動作を説明する正面図（ａ）、（ｂ）である。
【図１２】本発明の指詰め防止構造の第三の実施形態である指詰め防止装置が設けられた引戸装置を示す正面図である。
【図１３】第三の実施形態の指詰め防止装置の、開き戸が閉じられたときの動作を説明する平面図である。
【発明を実施するための形態】
【００１７】
以下、本発明の指詰め防止構造の第一の実施形態である指詰め防止装置について、図１〜図７に基づいて説明する。この実施形態の指詰め防止装置１０は、出入口の壁側に設けられた戸枠１２に引き戸１４が取り付けられた引き戸装置１６に設置され、引き戸１４が閉じられたとき、引き戸１４の戸先部分１４ａの先端１４ｂとこれに対向する戸枠１２の戸当たり部分１２ａの先端１２ｂとの間に指を挟むのを防止する装置である。
【００１８】
指詰め防止装置１０は、本体１８と受け具２０とで構成され、図１に示すように、本体１８が戸先部分１４ａ（第一の部分）の上端部に取り付けられ、受け具２０が戸当たり部分１２ａ（第二の部分）の上端部に取り付けられている。
【００１９】
本体１８は、図２（ａ）、（ｂ）に示すように、略矩形の筐体２２の一側面に設けられた取り付け部２２ａにより、戸先部分１４ａの側面に固定されている。筐体２２の戸当たり部分１２ａ側の側面には、内側の規制ローラ２４（規制部材）を突没可能にする開口が設けられている。受け具２０は、所定の強度を有する板状の部材であり、裏面に設けられた取り付け部２０ａにより、戸当たり部分１２ａの戸当たり面に固定され、表面に設けられた平坦な受け面２０ｂが規制ローラ２４に対向している。
【００２０】
本体１８の内部には、図３に示すように、円柱状の規制ローラ２４と、規制ローラ２４が取り付けられたアーム状の支持部材２６とが設けられている。規制ローラ２４は、中心軸２７を介して、支持部材２６の先端部に回動可能に軸着されている。支持部材２６は、他端部に回転軸２６ａが設けられ、回転軸付勢バネ２８により受け面２０ｂの方向（図３では左方向）に付勢されて筐体２２に取り付けられている。規制ローラ２４の中心軸２７と支持部材２６の回転軸２６ａは略平行であり、支持部材２６は、規制ローラ２４の側周面を受け具２０の受け面２０ｂに略平行に対向させ、規制ローラ２４を受け面２０ｂ方向に進退自在に支持している。
【００２１】
筐体２２の内側には、受け面２０ｂと対向する保持面３０が設けられている。保持面３０は、図３〜図７に斜線で示した曲面部分であり、下側の領域が規制ローラ２４の側周面に対応して内向きに湾曲し、そこから連続する上側の領域が外向きに緩やかに屈曲して階段状になっている。そして、規制ローラ２４は、回転軸付勢バネ２８により、筐体２２の保持面３０に対して通常は離間し且つ当接可能に取り付けられている。
【００２２】
保持面３０の内部には、トリガ部材の付勢部材としてトリガバネ３２が設けられている。トリガバネ３２は、ここではコイルバネが使用され、先端部にトリガ部材としてトリガローラ３２ａが取り付けられ、後端部がトリガバネ保持部３４により保持されている。トリガローラ３２ａは、円柱状の中心軸３２ｂがトリガバネ３２の先端部に回動可能に軸着され、この中心軸３２ｂが支持部材２６の回転軸２６ａと平行な向きに配されている。トリガローラ３２ａは、トリガバネ３２によって受け具２２の受け面２０ｂの方向に付勢され、斜め上側の部分が保持面３０の下側の領域から突出している。トリガバネ保持部３４には、トリガバネ３２の後端部の位置を変更するための調節用ネジ３４ａが設けられており、調節用ネジ３４ａを回すことにより、トリガバネ３２がトリガローラ３２ａを付勢する強さを微調整することができる。
【００２３】
次に、指詰め防止装置１０の動作を説明する。引き戸１４が閉鎖された状態では、図４に示すように、戸先部分１４ａの先端１４ｂと戸当たり部分１２ａの先端１２ｂとが横方向に重なっている。この状態で、規制ローラ２４は、支持部材２６が立ち上がって受け面２２ｂと反対の方向に後退して筐体２２の収容部２２ｂに収容され、筐体２２の開口から露出する側周面の部分が受け面２０ｂに当接して係止されている。
【００２４】
引き戸１４が開かれると、戸先部分１４ａが戸当たり部分１２ａから離れ、受け面２０ｂが規制ローラ２４を係止できなくなり、図５に示すように、規制ローラ２４の自重によって支持部材２６が自動的に倒れ、規制ローラ２４が受け面２０ｂの方向に進行して戸先部分１２ａの先端１２ｂより突出した状態になる。そして、規制ローラ２４は、側周面のやや下側の部分がトリガローラ３２ａにより支持され、支持部材２６がほぼ水平に保持される。このとき、回転軸２６ａは回転軸付勢バネ２８に付勢されているので、規制ローラ２４は保持面３０から離間している。
【００２５】
図５の状態から引き戸１４が閉じられると、まず、図６（ａ）に示すように、戸先部分１２ａの先端１２ｂより突出している規制ローラ２４の側周面部分２４ａが、受け具２０の受け面２０ｂにぶつかる。さらに、ぶつかった後の引き戸１４の移動により、受け面２０ｂから規制ローラ２４を押圧する押圧力が作用し、回転軸付勢バネ２８及びトリガバネ３２が圧縮されて、支持部材２６及び規制ローラ２４が受け面２０ｂと反対方向に移動し、規制ローラ２４の側周面部分２４ａとは反対側の側周面部分２４ｂが、保持面３０に当接しようとする。このとき、規制ローラ２４には、トリガバネ３２が圧縮された反作用として、トリガローラ３２ａから上向きの力F1を受ける。これにより、支持部材２６は、図面上で時計回りに回動し、規制ローラ２４が保持面３０に対して離間方向に移動する。
【００２６】
ここで、受け面２０ｂからの押圧力が大きい場合、即ち引き戸１４が閉じられる速度が速く、回転軸付勢バネ２８が大きく変形する場合、図６（ｂ）に示すように、規制ローラ２４が回転軸付勢バネ２８に抗して移動し、側周面部分２４ｂが保持面３０に当接する。この状態では、保持面３０に当接した規制ローラ２４には、受け面２０ｂ側に向けた力が作用するとともに、側周面部分２４ｂと保持面３０との間に摩擦力が発生し、同様に受け面２０ｂと規制ローラ２４の側周面部分２４ａとの間にも摩擦力が発生する。そして、規制ローラ２４には、受け面２０ｂと保持面３０との間に、上向きの力F1に抗する保持力F2が作用する。ここで、回転軸２６ａや中心軸２７，３２ｂの回転抵抗は、十分小さいので無視できる。
【００２７】
規制ローラ２４に作用する上向きの力F1は、規制ローラ２４が受け面２０ｂに接して支持部材２６が上方に回動する前は、規制ローラ２４に当接するトリガローラ３２ａの位置と引き戸１４を閉じる力により決まる。そして、支持部材２６が上方に回動した後は、規制ローラ２４に対するトリガローラ３２ａの当接状態と、引き戸１４が閉じられることによる水平方向の押圧力と、支持部材２６の傾斜角度により、押圧力の分力としての上向きの力F1が力学的に決まる。
【００２８】
また、トリガバネ３２による規制ローラ２４への付勢力は、規制ローラ２４に作用する上向きの力F1が作用するタイミングや力の変化を決定する。トリガバネ３２を締め込んで、トリガローラ３２ａへの付勢力を強くしておくと、引き戸１４が閉じられたタイミングのより早い段階で、規制ローラ２４に上向きの力F1がより強く作用し、規制ローラ２４の退避を促進し、逆にトリガバネ３２の付勢力を弱くしておくと、規制ローラ２４に作用する上向きの力F1の作用が弱くなり、規制ローラ２４の退避が遅くなる。
【００２９】
以下、引き戸１４が閉じられたときの各部の一連の動作を、指詰め防止機能を考慮した所定の速度よりも速い速度で引き戸１４が閉じられた場合と、遅い速度で閉じられた場合に分けて詳しく説明する。
【００３０】
指詰め防止装置１０の動作は、引き戸１４が所定の速度よりも速く閉じられた場合は、規制ローラ２４が受け面２０ｂに接したタイミングで、トリガローラ３２ａにより、規制ローラ２４を上方に退避させようとする上向きの力F1が作用するが、引き戸１４の移動が速く、規制ローラ２４が上方に退避する前に、規制ローラ２４が保持面３０に当接する。これにより、規制ローラ２４は、上向きの力F1以上の保持力F2で保持される。したがって、規制ローラ２４が受け面２０ｂの方向に突出した状態、すなわち図６（ｂ）の状態に保持され、戸先部分１４ａの先端１４ｂと戸当たり部分１２ａの先端１２ｂとの間に指詰め防止の隙間が確保される。
【００３１】
一方、引き戸１４が所定の値以下の遅い速度で閉じられた場合は、規制ローラ２４が受け面２０ｂに接したタイミングで、規制ローラ２４を上方に退避させる上向きの力F1により規制ローラ２４が上方に回動して退避する。これは、引き戸１４が閉じられる速度が遅く、回転軸付勢バネ２８の変形が小さいので、規制ローラ２４が保持面３０に当接する前に、トリガローラ３２ａにより規制ローラ２４を上方に退避させようとする上向きの力F1が作用し、さらに押圧力による上向きの分力が作用して支持部材２６が回動し、規制ローラ２４が受け面２０ｂと保持面３０に挟持されないからである。また、引き戸１４が閉じられて規制ローラ２４が受け面２０ｂと保持面３０の両方に接触しても、所定の値以下の遅い速度で閉じられた場合は、保持力F2が弱いので、上向きの力F1により、規制ローラ２４は受け面２０ｂの表面で回転または摺動するとともに保持面３０の表面でも摺動し、支持部材２６が回動して規制ローラ２４が退避する。
【００３２】
したがって、引き戸１４が所定の値以下の遅い速度で閉じられた場合は、図７に示すように、支持部材２６が回動して立ち上がり、規制ローラ２４が受け面２０ｂと反対の方向に退避し、戸先部分１４ａの先端１４ｂと戸当たり部分１２ａの先端１２ｂとが近接可能になる。その後、規制ローラ２４が筐体２２の収容部２２ｂに収まると、戸先部分１４ａの先端１４ｂと戸当たり部分１２ａの先端１２ｂとが横方向に交差し、引き戸１４が閉鎖された状態（図４に示す状態）に戻る。引き戸１４がゆっくりと閉じられたときは、指を挟んだとしてもケガをする可能性が低く、指詰め防止機能が自動的に解除されたとしても安全であると言うことができる。
【００３３】
以上説明したように、本発明の指詰め防止構造の第一の実施形態である指詰め防止装置１０は、引き戸１４が開けられると、規制ローラ２４が自動的に受け面２０ｂの方向に突出し、指詰め防止装置１０が機能し、指詰めが防止される設定になるので、幼児や小さい子供にも安全である。そして、引き戸１４が所定の値以上の速い速度で閉じられた場合は、指詰め防止機能が解除されず、所定の値以下の遅い速度で閉じられると自動的に指詰め防止機能が解除される構造なので、安全であり、かつ引き戸１４を閉鎖したいときに面倒な解除操作を行う必要がない。また、構造がシンプルで汎用性が高い構造なので、既存の様々な形態の引き戸に対して安価に設置することができる。
【００３４】
次に、本発明の指詰め防止構造の第二の実施形態である開閉ハンドル装置について、図８〜図１１に基づいて説明する。ここで、上記実施形態と同様の構成は、同一の符号を付して説明する。この実施形態の開閉ハンドル装置３６は、出入口の壁側に設けられた戸枠１２に引き戸１４が取り付けられた引き戸装置１６に設置され、使用者が引き戸１４を開く方向にハンドル操作すると、引き戸１４に対して開方向のアシスト力を付与することができ、さらに、引き戸１４が閉じられたとき、引き戸１４の戸先部分１４ａの先端１４ｂとこれに対向する戸枠１２の戸当たり部分１２ａの先端１２ｂとの間に指を挟むのを防止する機能も備えている。
【００３５】
開閉ハンドル装置３６は、本体３８と受け具２０とで構成され、図８に示すように、本体３８が戸先部分１４ａ（第一の部分）の上下方向の中間位置に取り付けられ、受け具２０が戸当たり部分１２ａ（第二の部分）の上下方向の中間位置に取り付けられている。
【００３６】
本体３８は、図９（ａ）、（ｂ）に示すように、略矩形の筐体２２の一側面に設けられた取り付け部２２ａにより、戸先部分１４ａの側面に固定されている。筐体２２の戸当たり部分１２ａに対向する側面には、内側の規制ローラ２４（規制部材）を突没可能にする開口が設けられている。受け具２０は、所定の強度を有する板状の部材であり、裏面に設けられた取り付け部２０ａにより、戸当たり部分１２ａの戸当たり面に固定され、表面に設けられた平坦な受け面２０ｂが規制ローラ２４に対向している。さらに筐体２２の上面には、後述するハンドル４０の把持部４０ａが突出する開口が設けられている。
【００３７】
本体３８の内部には、図１０に示すように、規制ローラ２４、支持部材２６、回転軸付勢バネ２８、保持面３０、トリガバネ３２が設けられており、これらの構成は、上記の指詰め防止装置１０の本体１８と同様である。本体３８には、さらに、使用者が引き戸１４を開閉するときに操作するハンドル４０が設けられている。
【００３８】
ハンドル４０は、所定長さの把持部４０ａと、把持部４０ａの基端部から延設されたアシスト部４０ｂと、把持部４０ａの基端部を回動自在に支持する回転軸４０ｃとで構成され、回転軸４０ｃは、支持部材２６の回転軸２６ａと平行に配されて筐体２２の上面の開口付近に取り付けられている。ハンドル４０は、図示しない付勢手段からの付勢力を受け、把持部４０ａが自動的に上向きに配置されるようになっており（初期状態）、使用者の操作により、把持部４０ａが受け面２０ｂと反対方向に傾くことができる（操作状態）。アシスト部４０ｂは、筐体２２の収容部２２ｂ内に位置し、把持部４０ａが受け面２０ｂと反対方向に傾くと、受け面２０ｂの方向に移動する。
【００３９】
次に、開閉ハンドル装置３６の動作を説明する。図１１（ａ）は、引き戸１４が閉鎖された状態であり、戸先部分１４ａの先端１４ｂと戸当たり部分１２ａの先端１２ｂとが横方向に交差している。ハンドル４０は、初期状態である。この状態で、規制ローラ２４は、支持部材２６が立ち上がって受け面２２ｂと反対の方向に後退し、筐体２２内の収容部２２ｂに収容され、筐体２２の開口から露出する側周面の部分が受け面２０ｂに当接して係止されている。また、アシスト部４０ｂは、規制ローラ２４の側周面の、受け面２０ｂと反対側の位置に配置されている。
【００４０】
引き戸１４を開くため、使用者が把持部４０ａを受け面２０ｂと反対方向に傾けると、図１１（ｂ）に示すように、アシスト部４０ｂが受け面２０ｂの方向に移動し、規制ローラ２４がアシスト部４０ｂに押されて受け面２０ｂの方向に進行する。そして、受け面２０ｂが規制ローラ２４を押し返すことにより、引き戸１４に対して開方向のアシスト力が付与される。
【００４１】
引き戸１４が開かれると、戸先部分１４ａが戸当たり部分１２ａから離れ、受け面２０ｂが規制ローラ２４を係止できなくなり、規制ローラ２４の自重によって支持部材２６が自動的に倒れ、図１１（ｃ）に示すように、規制ローラ２４が受け面２０ｂの方向に進行して戸先部分１２ａの先端１２ｂより突出した状態になる。そして、使用者がハンドル４０の操作を止め、把持部４０ａから手を離すと、自動的にハンドル４０が操作状態から初期状態に戻る。
【００４２】
図１１（ｃ）の状態から引き戸１４を閉めるため、使用者が把持部４０ａを受け面２０ｂの方向に移動させるとき、ハンドル４０は、筐体２２の部分にガイドされて初期状態の位置に保持される。ハンドル４０以外の各部材の動作は、上記の指詰め防止装置１０の場合と同様である。つまり、引き戸１４が所定の値以上の速い速度で閉じられた場合、規制ローラ２４が突出した状態に保持されることによって指詰めが防止され、所定の値以下の速度で閉じられると、規制ローラ２４が自動的に退避して指詰め防止機能が解除され、引き戸１４を閉鎖することできる。
【００４３】
以上説明したように、本発明の指詰め防止構造の第二の実施形態である開閉ハンドル装置３６は、引き戸１４に対して開方向のアシスト力を付与する動作をシンプルな構造により実現することができ、上記の指詰め防止装置１０と同様の作用効果も得ることができる。
【００４４】
次に、本発明の指詰め防止構造の第三の実施形態である指詰め防止装置について、図１２、図１３に基づいて説明する。ここで、上記実施形態と同様の構成は、同一の符号を付して説明する。この実施形態の指詰め防止装置４２は、出入口の壁側に設けられた扉枠４４に開き戸４６が取り付けられた開き戸装置４８に設置され、開き戸４６が閉じられたとき、開き戸４６の戸先部分４６ａの側面４６ｂとこれに対応する扉枠４４の戸先側枠部分４４ａの側面４４ｂとの間に指を挟むのを防止する装置である。
【００４５】
指詰め防止装置４２は、本体１８、スペーサ５０、及び受け部材５２で構成され、本体１８及びスペーサ５０が戸先側枠部分４４ａ（第一の部分）の上端部に、受け部材５２が戸先部分４６ａ（第二の部分）の上端部に取り付けられている。
【００４６】
本体１８は、第一の実施形態で使用されている本体１８とほぼ同様のものであり、取り付け部２２ａが筐体２２の背面（規制ローラ２４が突没する側面と反対側の側面）に設けられ、厚さｄの構造物であるスペーサ５０を介して戸先側枠部分４４ａの側面４４ｂに取り付けられている。したがって、規制ローラ２４は、側面４４ｂとほぼ直角方向に進退することができる。
【００４７】
受け部材５２は、平面視で略Ｌ字に屈曲した板材等であり、Ｌ字の一方の面の端部に取り付け部５２ａが設けられ、戸先部分４６の側面４６ｂと反対側の側面４６ｃに取り付けられている。Ｌ字の他方の面が受け面５２ｂであり、受け面５２ｂは、戸先部分４６ａの先端から突出し、規制ローラ２４の側周面に対向している。
【００４８】
指詰め防止装置４２の動作は、上述した指詰め防止装置１０の動作とほぼ同様であり、指詰め防止装置１０の動作説明の中の「受け具２０の受け面２０ｂ」を「受け部材５２の受け面５２ｂ」に置き換えて考えるとよい。図１３は、開き戸４６が強く閉じられ、規制ローラ２４が筐体２２の収容部２２ｂから突出した状態に保持されている様子を示しており、戸先部分４６ａの側面４６ｂと戸先側枠部分４４ａの側面４４ｂとの間に、指詰めを防止する隙間が確保されている。この隙間の大きさは、例えばスペーサ５０の厚みｄを変更することによって容易に調節することができる。
【００４９】
以上説明したように、本発明の指詰め防止構造の第三の実施形態である指詰め防止装置４２は、開き戸装置４８に使用するのに適した構造を有しており、上述した引き戸装置用の指詰め防止装置１０とほぼ同様の作用効果を得ることができる。
【００５０】
なお、本発明の指詰め防止構造は、上記実施形態に限定されるものではない。例えば、第一及び第二の実施形態では、規制ローラ２４及び支持部材２６が引き戸１４の戸先部分１４ａに設けられ、受け面２０ｂが戸枠１２の戸当たり部分１２ａに設けられているが、反対に、規制ローラ２４及び支持部材２６を戸当たり部分１２ａに設け、受け面２０ｂを戸先部分１４ａに設けてもよい。同様に、第三の実施形態では、規制ローラ２４及び支持部材２６が扉枠４４の戸先側枠部分４４ａに設けられ、受け面５２ｂが開き戸４６の戸先部分４６ａに設けられているが、反対に、規制ローラ２４及び支持部材２６を開き戸４６の戸先部分４６ａに設け、受け面５２ｂを扉枠４４の戸先側枠部分４４ａに設けてもよい。
【００５１】
また、本発明の要点は、引き戸等が閉じられ、突出状態の規制部材が受け面にぶつかり、規制部材に作用する上向きの力F1により、規制部材が受け具と保持面により挟持される前に退避方向に回動する状態と、規制部材が受け具と保持面により挟持されて保持される状態が、引き戸等の閉める速さにより自動的に決定される点である。したがって、この関係を実現できるものであれば、規制部材は上記実施形態の規制ローラ２４に限られず、規制部材の形状や構造、支持部材の構造、規制部材を保持する部分の構造等は、自由に変更することができる。例えば、規制部材は円柱状のローラ以外の形状にしてもよく、回転せずに摺動により規制部材が回動するものでもよい。さらに、これに対応する保持面の形状等も変更することができる。また、回転軸付勢バネ２８、トリガバネ３２、トリガローラ３２ａ、及びトリガバネ保持部３４の構成についても変更可能であり、トリガバネとトリガローラに変えて、規制部材とトリガ部材に磁石を設け、互いに反発するように配置してもよい。さらに、必要に応じてこれらを省略することも可能である。
【符号の説明】
【００５２】
１０  指詰め防止装置
１２  戸枠
１２ａ  戸当たり部分
１２ｂ  先端
１４  引き戸
１４ａ  戸先部分
１４ｂ  先端
１６  引き戸装置
１８  本体
２０  受け具
２０ｂ  受け面
２４  規制ローラ（規制部材）
２６  支持部材
２６ａ  回転軸
２８  回転軸付勢バネ
３０  保持面
３２  トリガバネ
３２ａ  トリガローラ
３６  指詰め防止構造を備えた開閉ハンドル装置
３８  本体
４２  指詰め防止装置
４４  扉枠
４４ａ  戸先側枠部分
４４ｂ  側面
４６  開き戸
４６ａ  戸先部分
４６ｂ  側面
４８  開き戸装置
５２  受け部材
５２ｂ  受け面
【図１】
2017008649.tif 000003
【図２】
2017008649.tif 000004
【図３】
2017008649.tif 000005
【図４】
2017008649.tif 000006
【図５】
2017008649.tif 000007
【図６】
2017008649.tif 000008
【図７】
2017008649.tif 000009
【図８】
2017008649.tif 000010
【図９】
2017008649.tif 000011
【図１０】
2017008649.tif 000012
【図１１】
2017008649.tif 000013
【図１２】
2017008649.tif 000014
【図１３】
2017008649.tif 000015